【手続補正書】
【提出日】平成31年2月20日(2019.2.20)
【手続補正１】
【補正対象書類名】特許請求の範囲
【補正対象項目名】全文
【補正方法】変更
【補正の内容】
【特許請求の範囲】
【請求項１】
複数のウィックに水を送る工程であって、該複数のウィックが、水ベースの凝縮粒子カウンタ（CPC）内で実質的に平行でありかつ互いに隣接しており、該複数のウィックのそれぞれが、送られた水の別個の部分を輸送するように構成されている、工程；
該複数のウィックに送られた水の過剰量を感知する工程；
該過剰量の水を捕集貯水槽に捕集する工程；および
該捕集貯水槽から該過剰量の水を抜く工程
を含む、水ベースの凝縮粒子カウンタ（CPC）における偽粒子カウントを減らす方法。
【請求項２】
過剰量の水を抜くために、排気ポートを通して一定の気流を引き抜く工程をさらに含む、請求項1に記載の方法。
【請求項３】
ドレインが所定のレベルまで水で満たされたときを検出する工程をさらに含む、請求項1に記載の方法。
【請求項４】
過剰水量をポンピングすることによって該過剰水量を抜く工程をさらに含む、請求項1に記載の方法。
【請求項５】
偽粒子カウントをさらに減らすためにデジタルフィルタを適用する工程をさらに含む、請求項1に記載の方法。
【請求項６】
検出された粒子カウントをルックアップテーブルと比較して偽粒子カウントを差し引く工程をさらに含む、請求項1に記載の方法。
【請求項７】
公知の偽粒子によって生成された検出シグナルのシグネチャを記憶させることによってルックアップテーブルを構築する工程をさらに含む、請求項6に記載の方法。
【請求項８】
試料フローポンプに結合されるように構成されたエーロゾル試料入口；
該エーロゾル試料入口および該試料フローポンプと流体連絡し、かつそれらの間に配置された、エーロゾル流路；
水ベースのCPC内で実質的に平行でありかつ互いに隣接しており、該エーロゾル流路の少なくとも一部を形成する多孔媒体をそれぞれが含み、送られた水の別個の部分を輸送するようにそれぞれが構成されている、水を受けるための複数のウィック；
該複数のウィックから過剰量の水を捕集するための捕集貯水槽；ならびに
該複数のウィック中の該過剰量の水に対応するシグナルを提供するためのセンサ
を含む、水ベースの凝縮粒子カウンタ（CPC）における偽粒子カウントを減らすためのシステム。
【請求項９】
過剰な水を除去するために捕集貯水槽に結合された水抜きポートをさらに含む、請求項8に記載のシステム。
【請求項１０】
複数のウィックがCPCのエンドユーザによって現場交換可能である、請求項8に記載のシステム。
【請求項１１】
センサが、捕集貯水槽が所定のレベルまで水で満たされたときを検出するためのものである、請求項8に記載のシステム。
【請求項１２】
偽粒子カウントをさらに減らすためのデジタルフィルタをさらに含む、請求項8に記載のシステム。
【請求項１３】
デジタルフィルタが、検出された粒子カウントをルックアップテーブルと比較して偽粒子カウントを差し引くためのものである、請求項12に記載のシステム。
【請求項１４】
ルックアップテーブルが、公知の偽粒子によって生成された検出シグナルの複数の記憶されたシグネチャを含む、請求項13に記載のシステム。
【請求項１５】
複数のウィックが、該複数のウィック内のバクテリア増殖を減らすまたは防ぐために銀含浸されている、請求項8に記載のシステム。
【請求項１６】
複数のウィックが、該複数のウィック内のバクテリア増殖を減らすまたは防ぐためにバイオインヒビタで処理されている、請求項8に記載のシステム。
【請求項１７】
複数のウィックを取り付けるための取り外し可能なウィックカートリッジをさらに含み、該取り外し可能なウィックカートリッジが、様々なレベルの相対湿度からの影響を減らすまたはなくすために加熱され、それにより高レベルの相対湿度による泡または空の水滴を減らすまたはなくすように構成されている、請求項8に記載のシステム。
【請求項１８】
試料フローポンプに結合されるように構成されたエーロゾル試料入口；
該エーロゾル試料入口および該試料フローポンプと流体連絡し、かつそれらの間に配置された、エーロゾル流路；
水を受けるための単一のウィックであって、その中に形成された複数のエーロゾル流路を有する多孔媒体であり、該複数のエーロゾル流路のそれぞれが、水ベースのCPC内で実質的に平行でありかつ互いに隣接しており、該複数のエーロゾル流路のそれぞれが、受け取った水の別個の部分を輸送するように構成されており、該単一のウィックが、該エーロゾル流路の少なくとも一部を形成する、水を受けるための単一のウィック；ならびに
該単一のウィックから過剰量の水を捕集するための捕集貯水槽
を含む、水ベースの凝縮粒子カウンタ（CPC）における偽粒子カウントを減らすためのシステム。
【請求項１９】
過剰量の水が単一のウィックに送られたかどうかを決定するためのセンサをさらに含む、請求項18に記載のシステム。
【請求項２０】
センサが、水センサ、温度感知装置、および湿度感知装置を含む様々なタイプのセンサから選択される1つまたは複数のセンサを含み、該センサは、単一のウィックに送られる水の供給を止めるためのシグナルを生成するように構成されている、請求項19に記載のシステム。
【手続補正２】
【補正対象書類名】明細書
【補正対象項目名】０００３
【補正方法】変更
【補正の内容】
【０００３】
開示される主題は、CPCにおける偽粒子カウントを減らすまたはなくすための技術および設計を開示する。
[本発明1001]
1つまたは複数のウィックに水を送る工程；
該1つまたは複数のウィックに送られた水の過剰量を感知する工程；
該過剰量の水を捕集貯水槽に捕集する工程；および
該捕集貯水槽から該過剰量の水を抜く工程
を含む、水ベースの凝縮粒子カウンタ（CPC）における偽粒子カウントを減らす方法。
[本発明1002]
過剰量の水を抜くために、排気ポートを通して一定の気流を引き抜く工程をさらに含む、本発明1001の方法。
[本発明1003]
ドレインが所定のレベルまで水で満たされたときを検出する工程をさらに含む、本発明1001の方法。
[本発明1004]
過剰水量をポンピングすることによって該過剰水量を抜く工程をさらに含む、本発明1001の方法。
[本発明1005]
偽粒子カウントをさらに減らすためにデジタルフィルタを適用する工程をさらに含む、本発明1001の方法。
[本発明1006]
検出された粒子カウントをルックアップテーブルと比較して偽粒子カウントを差し引く工程をさらに含む、本発明1001の方法。
[本発明1007]
公知の偽粒子によって生成された検出シグナルのシグネチャを記憶させることによってルックアップテーブルを構築する工程をさらに含む、本発明1006の方法。
[本発明1008]
試料フローポンプに結合されるように構成されたエーロゾル試料入口；
該エーロゾル試料入口および該試料フローポンプと流体連絡し、かつそれらの間に配置された、エーロゾル流路；
該エーロゾル流路の少なくとも一部を形成する多孔媒体をそれぞれが含む、水を受けるための複数のウィック；
該複数のウィックから過剰量の水を捕集するための捕集貯水槽；ならびに
該複数のウィック中の該過剰量の水に対応するシグナルを提供するためのセンサ
を含む、水ベースの凝縮粒子カウンタ（CPC）における偽粒子カウントを減らすためのシステム。
[本発明1009]
過剰な水を除去するために捕集貯水槽に結合された水抜きポートをさらに含む、本発明1008のシステム。
[本発明1010]
複数のウィックがCPCのエンドユーザによって現場交換可能である、本発明1008のシステム。
[本発明1011]
センサが、捕集貯水槽が所定のレベルまで水で満たされたときを検出するためのものである、本発明1008のシステム。
[本発明1012]
偽粒子カウントをさらに減らすためのデジタルフィルタをさらに含む、本発明1008のシステム。
[本発明1013]
デジタルフィルタが、検出された粒子カウントをルックアップテーブルと比較して偽粒子カウントを差し引くためのものである、本発明1012のシステム。
[本発明1014]
ルックアップテーブルが、公知の偽粒子によって生成された検出シグナルの複数の記憶されたシグネチャを含む、本発明1013のシステム。
[本発明1015]
複数のウィックが、該複数のウィック内のバクテリア増殖を減らすまたは防ぐために銀含浸されている、本発明1008のシステム。
[本発明1016]
複数のウィックが、該複数のウィック内のバクテリア増殖を減らすまたは防ぐためにバイオインヒビタで処理されている、本発明1008のシステム。
[本発明1017]
複数のウィックを取り付けるための取り外し可能なウィックカートリッジをさらに含み、該取り外し可能なウィックカートリッジが、様々なレベルの相対湿度からの影響を減らすまたはなくすために加熱され、それにより高レベルの相対湿度による泡または空の水滴を減らすまたはなくすように構成されている、本発明1008のシステム。
[本発明1018]
試料フローポンプに結合されるように構成されたエーロゾル試料入口；
該エーロゾル試料入口および該試料フローポンプと流体連絡し、かつそれらの間に配置された、エーロゾル流路；
水を受けるための単一のウィックであって、その中に形成された複数のエーロゾル流路を有する多孔媒体であり、該エーロゾル流路の少なくとも一部を形成する、水を受けるための単一のウィック；ならびに
該単一のウィックから過剰量の水を捕集するための捕集貯水槽
を含む、水ベースの凝縮粒子カウンタ（CPC）における偽粒子カウントを減らすためのシステム。
[本発明1019]
過剰量の水が単一のウィックに送られたかどうかを決定するためのセンサをさらに含む、本発明1018のシステム。
[本発明1020]
センサが、水センサ、温度感知装置、および湿度感知装置を含む様々なタイプのセンサから選択される1つまたは複数のセンサを含み、該センサは、単一のウィックに送られる水の供給を止めるためのシグナルを生成するように構成されている、本発明1019のシステム。